【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、開口絞り、正の屈折力の第３レンズ群、負の屈折力の第４レンズ群、正の屈折力の第５レンズ群より構成され、ズーミングに際して、前記第１レンズ群と前記開口絞りは不動であり、前記第２、第３、第４レンズ群は互いに異なる軌跡で移動し、隣り合うレンズ群の間隔が変化するズームレンズであって、
広角端と望遠端における前記第２レンズ群の横倍率を各々β２ｗ、β２ｔ、広角端と望遠端における前記第３レンズ群の横倍率を各々β３ｗ、β３ｔとするとき、
０．８＜（β２ｔ／β２ｗ）／（β３ｔ／β３ｗ）＜５．０
なる条件式を満足することを特徴とするズームレンズ。
【請求項２】
前記第２レンズ群の焦点距離をｆ２、広角端における全系の焦点距離をｆｗとするとき、
−２．５＜ｆ２／ｆｗ＜−１．５
なる条件式を満足することを特徴とする請求項１に記載のズームレンズ。
【請求項３】
前記第３レンズ群の焦点距離をｆ３、広角端における全系の焦点距離をｆｗとするとき、
２．５＜ｆ３／ｆｗ＜５．５
なる条件式を満足することを特徴とする請求項１又は２に記載のズームレンズ。
【請求項４】
前記第３レンズ群に含まれる正レンズの材料のアッベ数をνｐ３とするとき、前記第３レンズ群は、
６５．０＜νｐ３
なる条件式を満足する正レンズを有することを特徴とする請求項１乃至３のいずれか１項に記載のズームレンズ。
【請求項５】
前記第３レンズ群に含まれる負レンズの材料のアッベ数と屈折率を各々νｎ３、Ｎｎ３とするとき、前記第３レンズ群は、
νｎ３＜３５．０
１．８＜Ｎｎ３
なる条件式を満足する負レンズを有することを特徴とする請求項１乃至４のいずれか１項に記載のズームレンズ。
【請求項６】
前記第４レンズ群はフォーカシングに際して移動する１枚のレンズよりなり、前記第４レンズ群の焦点距離をｆ４、望遠端における全系の焦点距離をｆｔとするとき、
−０．４＜ｆ４／ｆｔ＜−０．１
なる条件式を満足することを特徴とする請求項１乃至５のいずれか１項に記載のズームレンズ。
【請求項７】
請求項１乃至６のいずれか１項に記載のズームレンズと、該ズームレンズによって形成される像を受光する撮像素子を有することを特徴とする撮像装置。
【手続補正２】
【補正対象書類名】明細書
【補正対象項目名】００１１
【補正方法】変更
【補正の内容】
【００１１】
本発明のズームレンズは、物体側より像側へ順に、正の屈折力の第１レンズ群、負の屈折力の第２レンズ群、開口絞り、正の屈折力の第３レンズ群、負の屈折力の第４レンズ群、正の屈折力の第５レンズ群より構成され、ズーミングに際して、前記第１レンズ群と前記開口絞りは不動であり、前記第２、第３、第４レンズ群は互いに異なる軌跡で移動し、隣り合うレンズ群の間隔が変化するズームレンズであって、
広角端と望遠端における前記第２レンズ群の横倍率を各々β２ｗ、β２ｔ、広角端と望遠端における前記第３レンズ群の横倍率を各々β３ｗ、β３ｔとするとき、
０．８＜（β２ｔ／β２ｗ）／（β３ｔ／β３ｗ）＜５．０
なる条件式を満足することを特徴としている。
【手続補正３】
【補正対象書類名】明細書
【補正対象項目名】００１４
【補正方法】変更
【補正の内容】
【００１４】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、開口絞り、正の屈折力の第３レンズ群、負の屈折力の第４レンズ群、正の屈折力の第５レンズ群より構成されている。ズーミングに際しては第１レンズ群と前記開口絞りが不動であり、第２レンズ群乃至第４レンズ群が互いに異なる軌跡で移動し、隣り合うレンズ群の間隔が変化する。第１レンズ群の物体側又は第５レンズ群の像側の少なくとも一方に屈折力のあるレンズ群が配置される場合もある。
【手続補正４】
【補正対象書類名】明細書
【補正対象項目名】００２５
【補正方法】変更
【補正の内容】
【００２５】
各実施例では、広角端から望遠端へのズーミングに際して矢印のように、第２レンズ群Ｂ２を像側に移動させて主たる変倍を行っている。また第３レンズ群Ｂ３を移動させて変倍を行っている。第４レンズ群Ｂ４を非直線的に移動させて変倍に伴う像面変動を補正している。第１レンズ群Ｂ１、第５レンズ群Ｂ５、開口絞りＳＰはズーミングに際して不動である。以上のように各実施例のズームレンズはズーミングに際して隣り合うレンズ群の間隔が変化する。
【手続補正５】
【補正対象書類名】明細書
【補正対象項目名】００３６
【補正方法】変更
【補正の内容】
【００３６】
各実施例において更に好ましくは次の諸条件のうち１つ以上を満足するのが良い。第２レンズ群Ｂ２の焦点距離をｆ２とする。第３レンズ群Ｂ３の焦点距離をｆ３とする。第４レンズ群Ｂ４の焦点距離をｆ４とする。広角端における全系の焦点距離をｆｗ、望遠端における全系の焦点距離をｆｔとする。第３レンズ群Ｂ３に含まれる少なくとも１枚の正レンズの材料のアッベ数をνｐ３とする。第３レンズ群Ｂ３に含まれる少なくとも１枚の負レンズの材料のアッベ数と屈折率を各々νｎ３、Ｎｎ３とする。このとき、次の条件式のうち１以上を満足するのが良い。
【手続補正６】
【補正対象書類名】明細書
【補正対象項目名】００４３
【補正方法】変更
【補正の内容】
【００４３】
条件式（７）は、第４レンズ群Ｂ４を１枚のレンズで構成し、フォーカシングを行うときの好ましい条件式である。条件式（７）は、第４レンズ群Ｂ４の焦点距離を望遠端の焦点距離との比によって適切に定めるものである。条件式（７）の上限値を超えて、第４レンズ群Ｂ４の焦点距離が短くなりすぎると、第４レンズ群Ｂ４でフォーカシングするときの移動量は短くできるものの、微細な移動機構や制御が必要となり、駆動部を含む鏡筒全系が大型化するため好ましくない。
【手続補正７】
【補正対象書類名】明細書
【補正対象項目名】００４８
【補正方法】変更
【補正の内容】
【００４８】
各実施例において、第４レンズ群Ｂ４には１つ以上の非球面形状のレンズ面を備えることが好ましい。これによれば少ないレンズ枚数で軽量化を図りつつ、諸収差の良好な補正が容易になる。各実施例において、第１レンズ群Ｂ１は物体側より像側へ順に、負レンズと正レンズを接合した接合レンズ、正レンズよりなっている。
【手続補正８】
【補正対象書類名】明細書
【補正対象項目名】００４９
【補正方法】変更
【補正の内容】
【００４９】
第２レンズ群Ｂ２は物体側より像側へ順に、２枚又は３枚の負レンズと正レンズよりなっている。第３レンズ群Ｂ３は物体側より像側へ順に、正レンズ、負レンズ、正レンズよりなっている。第５レンズ群Ｂ５は正レンズと負レンズとを接合した接合レンズよりなっている。
【手続補正９】
【補正対象書類名】明細書
【補正対象項目名】００５３
【補正方法】変更
【補正の内容】
【００５３】
各実施例において、より好ましくは、第３レンズ群Ｂ３が１つ以上の非球面形状のレンズ面を備え、第３レンズ群Ｂ３の全部または一部を光軸方向に対し垂直方向の成分を持つ方向に移動させて、画像ぶれを補正することが好ましい。開口絞りＳＰ近傍にある第３レンズ群Ｂ３は画像ぶれの補正時に発生する偏芯コマ収差の抑制が容易になる。